(57)【要約】  本願は扇風機を開示する。扇風機は支柱、第一電気モータ、第一羽根、第二電気モータ、第二羽根と電気制御ボードを含み、前記第一電気モータは前記支柱に取り付けられ、前記第一電気モータは第一回転軸を有し、前記第一羽根は前記第一回転軸に取り付けられ、前記第二電気モータは前記支柱に取り付けられて、前記第二電気モータは第二回転軸を有し且つ前記第一電気モータとは同軸するように設けられ、前記第二羽根は前記第二回転軸に取り付けられ、前記第二羽根の傾斜方向は前記第一羽根の傾斜方向とは逆であり、前記電気制御ボードは前記第一電気モータと前記第二電気モータを電気的に接続して、且つ前記第一電気モータと前記第二電気モータの互いに反対の方向に回転することを制御する。
2021526611.tif 000002
【特許請求の範囲】
【請求項１】
支柱と、
前記支柱に取り付けられ、第一回転軸を有する第一電気モータと、
前記第一回転軸に取り付けられている第一羽根と、
前記支柱に取り付けられて、第二回転軸を有し、前記第一電気モータと同軸するように設けられている第二電気モータと、
前記第二回転軸に取り付けられて、傾斜方向が前記第一羽根の傾斜方向とは逆である第二羽根と、
前記第一電気モータと前記第二電気モータに電気的に接続して、且つ前記第一電気モータと前記第二電気モータの互いに反対の方向に回転することを制御する電気制御ボードと
を含む扇風機。
【請求項２】
前記電気制御ボードは回転速度比調節モジュール、調速モジュールと方向転換調節モジュールとを含み、前記回転速度比調節モジュールは前記第一電気モータと前記第二電気モータの回転速度の比を調節及び固定するためのものであり、前記調速モジュールは前記第一電気モータと前記第二電気モータの回転速度を同期して調節するためのものであり、前記方向転換調節モジュールは前記第一電気モータと前記第二電気モータの回転方向を切り換えるためのものである
請求項１に記載の扇風機。
【請求項３】
前記第一電気モータと前記第二電気モータの運転時に前記方向転換調節モジュールを切断するために、前記方向転換調節モジュールは保護スイッチを含む
請求項２に記載の扇風機。
【請求項４】
前記電気制御ボードは段階調節モジュールをさらに含み、前記段階調節モジュールは段階を編集できるエディタとメモリを含み、前記段階調節モジュールは複数のプリセット段階選択ボタンと少なくとも一つのカスタマイズ段階選択ボタンをさらに含む
請求項２に記載の扇風機。
【請求項５】
前記第一羽根のブレード数はｎ１で、前記第二羽根のブレード数はｎ２であり、前記第一羽根のねじれ角度はθ１であり、前記第二羽根のねじれ角はθ２であり、
前記第一羽根のブレード数と前記第二羽根のブレード数との比と、前記第一羽根のねじれ角と前記第二羽根のねじれ角との比との積を第一差異係数として定義する場合、前記第一差異係数は
【数１】
2021526611.tif 000046
であり、
前記第一差異係数は
【数２】
2021526611.tif 000047
である
請求項１に記載の扇風機。
【請求項６】
前記第一差異係数は
【数３】
2021526611.tif 000048
である
請求項５に記載の扇風機。
【請求項７】
前記第一羽根のブレード長さはｌ１で、面積はＳ１であり、前記第二羽根のブレード長さはｌ２で、面積はＳ２であり、前記第一羽根のブレード面積と前記第一羽根のブレード長さとの比と、前記第二羽根のブレード面積と前記第二羽根のブレード長さとの比との積を第二差異係数として定義する場合、前記第二差異係数は
【数４】
2021526611.tif 000049
であり、
前記第二差異係数は
【数５】
2021526611.tif 000050
である
請求項５に記載の扇風機。
【請求項８】
【数６】
2021526611.tif 000051
である
請求項７に記載の扇風機。
【請求項９】
前記第一羽根と前記第二羽根の間隔をＬである場合、
【数７】
2021526611.tif 000052
となる
請求項８に記載の扇風機。
【請求項１０】
【数８】
2021526611.tif 000053
である
請求項９に記載の扇風機。
【請求項１１】
前記扇風機はさらに第三羽根を含み、前記第三羽根は前記第一回転軸に取り付けられている
請求項１に記載の扇風機。
【請求項１２】
前記第三羽根は前記第一羽根の外側に設けられており、且つ前記第三羽根のブレード長さは前記第一羽根のブレード長さよりも小さい
請求項１１に記載の扇風機。
【請求項１３】
前記扇風機はさらに第四羽根を含み、前記第四羽根は前記第二回転軸に取り付けられている
請求項１１に記載の扇風機。
【請求項１４】
前記第四羽根は前記第一羽根と前記第二羽根の間に設けられており、且つ前記第四羽根のブレード長さは前記第二羽根のブレード長さよりも小さい
請求項１３に記載の扇風機。
【発明の詳細な説明】
【技術分野】
【０００１】
関連出願
本願は２０１８年７月９日に提出された、出願番号２０１８１０７４９４００．０、発明名称「扇風機」である中国特許出願及び出願番号２０１８２１０８４７６８．１、発明名称「扇風機」である中国特許出願の優先権を主張し、その全文を参考としてここに援用する。
【０００２】
本発明は家庭電器の分野に関し、特に扇風機に関する。
【背景技術】
【０００３】
電気扇風機は異なる機能と形態により天井扇、卓上扇風機、床置き扇風機、壁掛け扇風機、換気扇、冷風扇などの複数種類に分けられ、吸気と送風方法の違いにより、軸流式扇風機、貫流式扇風機、遠心式扇風機と横流式扇風機などの複数種類に分けられる。家庭用卓上扇風機と床置き扇風機の多くは軸流式扇風機であり、通常では家庭用卓上扇風機と床置き扇風機の風量が比較的小さく、強段階時の風量が比較的大きめではあるが、強段階で大風量時には比較的大きい騒音が生じて、使用環境は通常室内であるため、騒音の影響はより大きいものになる。それに、軸流式扇風機の送風モードは単一であり、比較的遠い送風距離が必要とされる場合及び比較的近い送風距離が必要とされる場合に向いていない。例えば、客間の面積が比較的大きい場合、普通の家庭用床置き扇風機の送風距離では、客間の端から端まで吹くことが難しく、特にスイング送風の場合、その送風距離がより近くなる。寝室の面積が比較的小さく、年寄りや幼児に送風する必要がある場合、距離が近すぎて体感風速を比較的に速くしやすく、年寄りや幼児の健康には不利になる。
【発明の概要】
【発明が解決しようとする課題】
【０００４】
本出願の主な目的は、現在の電気扇風機の送風モードが単一で、実際の需要により送風量と送風距離を具体的に調整できないという問題を解決するための扇風機を提供することである。
【課題を解決するための手段】
【０００５】
上記目的を実現するために、本願が提供する扇風機は支柱、第一電気モータ、第一羽根、第二電気モータ、第二羽根と電気制御ボードを含み、第一電気モータは支柱に取り付けられ、第一電気モータは第一回転軸を有し、第一羽根は第一回転軸に取り付けられ、第二電気モータは支柱に取り付けられて、第二電気モータは第二回転軸を有し且つ第一電気モータとは同軸するように設けられ、第二羽根は第二回転軸に取り付けられ、第二羽根の傾斜方向は第一羽根の傾斜方向とは逆であり、電気制御ボードは第一電気モータと第二電気モータに電気的に接続して、且つ第一電気モータと第二電気モータの互いに反対の方向に回転することを制御する。
【０００６】
好ましくは、電気制御ボードは回転速度比調節モジュール、調速モジュールと方向転換調節モジュールとを含み、回転速度比調節モジュールは第一電気モータと第二電気モータの回転速度の比を調節及び固定するためのものであり、調速モジュールは第一電気モータと第二電気モータの回転速度を同期して調節するためのものであり、方向転換調節モジュールは第一電気モータと第二電気モータの回転方向を切り換えるためのものである。
【０００７】
好ましくは、第一電気モータと第二電気モータの運転時に方向転換調節モジュールを切断するために、方向転換調節モジュールは保護スイッチを含む。
【０００８】
好ましくは、電気制御ボードはさらに段階調節モジュールを含み、段階調節モジュールは段階を編集できるエディタとメモリを含み、段階調節モジュールはさらに複数のプリセット段階選択ボタンと少なくとも一つのカスタマイズ段階選択ボタンを含む。
【０００９】
好ましくは、第一羽根のブレード数はｎ１で、第二羽根のブレード数はｎ２であり、第一羽根のねじれ角度はθ１で、第二羽根のねじれ角はθ２であり、第一羽根のブレード数と第二羽根のブレード数との比と第一羽根のねじれ角と第二羽根のねじれ角との比の積を第一差異係数として定義すると、第一差異係数は
【数１】
2021526611.tif 000003
であり、第一差異係数は
【数２】
2021526611.tif 000004
になる。
【００１０】
好ましくは、第一差異係数は
【数３】
2021526611.tif 000005
になる。
【００１１】
好ましくは、第一羽根のブレード長さはｌ１で、面積はＳ１であり、第二羽根のブレード長さはｌ２で、面積はＳ２であり、第一羽根のブレード面積と第一羽根のブレード長さとの比と第二羽根のブレード面積と第二羽根のブレード長さとの比の積を第二差異係数として定義すると、第二差異係数は
【数４】
2021526611.tif 000006
であり、第二差異係数は
【数５】
2021526611.tif 000007
になる。
【００１２】
好ましくは、
【数６】
2021526611.tif 000008
である。
【００１３】
好ましくは、第一羽根と第二羽根の間隔をＬとすると、
【数７】
2021526611.tif 000009
になる。
【００１４】
好ましくは、
【数８】
2021526611.tif 000010
である。
【００１５】
好ましくは、扇風機はさらに第三羽根を含み、第三羽根は第一回転軸に取り付けられている。
【００１６】
好ましくは、第三羽根は第一羽根の外側に設けられて、且つ第三羽根のブレード長さは第一羽根のブレード長さより小さい。
【００１７】
好ましくは、扇風機はさらに第四羽根を含み、第四羽根は第二回転軸に取り付けられている。
【００１８】
好ましくは、第四羽根は第一羽根と第二羽根の間に設けられており、且つ第四羽根のブレード長さは第二羽根のブレード長さより小さい。
【００１９】
本願の技術案によれば、互いに独立した第一電気モータと第二電気モータにより第一羽根と第二羽根の回転を駆動し、且つ中間制御システムにより第一電気モータと第二電気モータの回転速度比の調節を行うことで、本願の扇風機に気流が迅速に分散する軟風送風能力から気流が集中する遠距離送風能力まで与えて、且つ需要に応じて異なる送風モード間のスピーディーな調節を行うことが可能である。
【図面の簡単な説明】
【００２０】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願の扇風機の分解構造模式図である。
【図２】本願の扇風機の羽根及び電気モータの側面構造模式図である。
【図３】本願の扇風機の羽根及び電気モータの構造模式図である。
【図４】本願の扇風機のもう一つの実施例における電気モータと扇風機の構造模式図である。
【発明を実施するための形態】
【００２１】
以下、図面を参照しながら、実施例を例として本出願の目的の実現、機能的特徴及び長所を説明する。
以下では、図面を参照しながら、本願実施例における技術案を明確且つ完全に説明する。説明される実施例は本願の全ての実施例ではなく、本願の一部の実施例に過ぎないことは明らかである。本願における実施例に基づいて、当業者が創造的な努力を行わないことを前提として得られた全ての他の実施例は、本願の保護範囲に属す。
【００２２】
本願実施例では方向性指示（例えば上、下、左、右、前、後．．．）に関わる場合、当該方向性指示はある特定の姿勢（図面に示される）における各部品間の相対的位置関係、運動状況等を説明するためだけに用いられ、当該特定の姿勢が変わる場合、当該方向性指示もそれに応じて変わる。
【００２３】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその前提である。技術案の組み合わせに矛盾が生じるか、実現できない場合には、このような技術案の組み合わせが存在しない、且つ本願の保護範囲に属しないと理解すべきである。
【００２４】
家庭用床置き扇風機、卓上扇風機などの軸流扇風機では、一つの電気モータにより電気モータの回転軸に固定された傾斜のある羽根の回転を駆動することで、電気モータの軸方向に空気を駆動する送風方式を採用している。このような扇風機は構造が簡単で、送風方式が直接であり、最も一般的に応用されている。しかしながら、このような扇風機の羽根により直接駆動された空気には、軸方向の運動量に加えて、羽根と空気との摩擦で気体に生じた回転軸と垂直な運動量がある。回転軸と垂直な気流の運動量は気流を拡散させ、気流が拡散してから、気流束の横断面が拡大して、軸方向に運動する時に受ける抵抗力が急激に増大して、軸方向の有効送風距離を比較的近くしてしまう。特に、扇風機の首ふりスイング送風の場合、軸方向の有効送風距離は単一方向の送風の場合の送風距離に比べて近くなる。
【００２５】
「美的ＦＳ４０−１２ＤＲ」床置き扇風機を対象に風量測定スタンドによる風速測定テストを行った結果、美的ＦＳ４０−１２ＤＲの最大送風速度は４ｍ／ｓ前後であり、他の床置き扇風機と大体同一である。扇風機を起動して、最高段階に調節し、風量測定スタンドを扇風機軸線の前方の異なる距離に置いて、風速を測定した結果、データは以下のようになる。
【表１】
2021526611.tif 000011
【００２６】
実験データからわかるように、扇風機の減衰は非線形減衰であり、速度が大きいほど減衰が速くなり、且つ３ｍのところで１．６５ｍ／ｓまで減衰するが、風があると人の体に感じさせるためには、風速を１．６ｍ／ｓ前後にする必要がある。
【００２７】
上記テストデータにより、普通の床置き扇風機の有効送風距離は３ｍ前後であるという結論を導くことができ、日常使用の経験と一致している。
【００２８】
通常では、３ｍの有効送風距離では、多くの応用場面の要求を満たせるが、床置き扇風機などの軸流扇風機を高い段階にした場合に生じる騒音は比較的大きい。同様に「美的ＦＳ４０−１２ＤＲ」を持って段階と騒音の対照テストを行う（段階が高いほど風速が速い）。「美的ＦＳ４０−１２ＤＲ」は同類の製品で機械騒音に対する制御が比較的よく、運転中に部品の機械的振動或いは摩擦による騒音がほとんどないため、測定される騒音を全て羽根により気流を生じさせる時に生じた騒音による騒音とみなすことが可能である。ＦＳ４０−１２ＤＲは三つの段階を持ち、扇風機から２メートル離れた箇所で各段階に対応する騒音の大きさを測定した結果、データは以下になる。
【表２】
2021526611.tif 000012
【００２９】
昼間で騒音が５０デシベル、夜で４５デシベルを超えた場合、正常な睡眠と休憩を邪魔してしまう。音環境品質の基準により、第０種音環境区域（リハビリ療養区域など特に静穏を必要とする区域を指す）に対する要求は、昼間の騒音が５０デシベル以下で、夜間の騒音が４０デシベル以下であり、第１種音環境区域（住宅、医療衛生、文化教育、科学研究や設計、行政事務などを主要機能として、静穏の保持を必要とする区域を指す）に対する要求は、昼間の騒音が５５デシベル以下で、夜間の騒音が４５デシベル以下である。
【００３０】
これによりわかるように、一般的な床置き扇風機を夜で使用する場合、その最大段階の場合に生じる騒音は比較的著しく睡眠や休憩に影響してしまう。たとえ昼間でも、その最大段階の場合に生じる騒音は第０類音環境区域の要求を満たさない。
【００３１】
よって、通常のシングル羽根モータシングルブレード構造の床置き扇風機では、十分な静穏を保つ前提で、十分な有効送風距離を保証することは不可能である。それとともに、通常の床置き扇風機では、いくつかの比較的大きい空間での送風需要、例えば面積が比較的大きい客間などの需要の場面を満たすことはできない。
【００３２】
また、いくつかの特殊の応用の場合、例えば面積が比較的に小さい寝室内で幼児或いはお年寄りに送風するなどの場合では、比較的に大きい有効送風距離の代わりに、比較的大きい風速で直接幼児或いはお年寄りの体に吹き付けるのを避けるように、できるだけ速く気流を拡散させるやさしい風が必要となる。現在では、通常のやり方としては、扇風機を壁に向けて、壁の気流に対する反動により、気流を迅速に拡散させる目的を達成しているものの、直接扇風機を調節することで目的を達成することはできない。
【００３３】
そのために、本願では扇風機を提供する。本願で提供する扇風機は、二つの電気モータでそれぞれ独立して二つの羽根を逆方向に回転するように制御し、二つの羽根の傾斜方向も逆なので、二つの羽根が逆方向に回転する場合、それらの送風方向も同じになる。
【００３４】
具体的に、本願の実施例では、図１乃至図３を参照し、この扇風機は支柱１００、第一電気モータ２００、第一羽根２０１、第二電気モータ３００、第二羽根３０１と電気制御ボードを含み、前記第一電気モータ２００は前記支柱１００に取り付けられ、前記第一電気モータ２００は第一回転軸２０２を有し、前記第一羽根２０１は前記第一回転軸２０２に取り付けられ、前記第二電気モータ３００は前記支柱１００に取り付けられて、前記第二電気モータ３００は第二回転軸３０２を有し且つ前記第一電気モータ２００とは同軸するように設けられ、前記第二羽根３０１は前記第二回転軸３０２に取り付けられ、前記第二羽根３０１の傾斜方向は前記第一羽根２０１の傾斜方向とは逆であり、前記電気制御ボードは前記第一電気モータ２００と前記第二電気モータ３００を電気的に接続して、且つ前記第一電気モータ２００と前記第二電気モータ３００の反対回転を制御する。
【００３５】
第一電気モータ２００は第一回転軸２０２の回転を駆動することで、第一羽根２０１の回転を駆動し、同様に、第二電気モータ３００は第二回転軸３０２の回転を駆動することで、第二羽根３０１の回転を駆動する。第一電気モータ２００と第二電気モータ３００はそれぞれ電気制御ボードに電気的に接続されて、前記電気制御ボードは第一電気モータ２００と第二電気モータ３００の回転方向と回転速度をそれぞれ独立して制御し、第一電気モータ２００と第二電気モータ３００の回転方向を逆に保つ。
【００３６】
ダブル電気モータの反対回転による同方向送風により、空気に軸方向に重なった駆動作用、及び径方向で互いに相殺する駆動作用を与えて、気流の軸方向運動時の擾乱を減少させ、気流を安定して前へ運動させることができる。二つの羽根の回転速度の差が大きくない場合、シングル羽根による送風に比べて、気流の集中効果が著しく、より遠い距離まで送り届けることが可能である。二つの羽根の回転速度の違いは扇風機の送風効果の違いにつながり、第一羽根２０１と第二羽根３０１の回転速度比が扇風機の送風量及び有効送風距離に与える影響について、後の部分で具体的に説明する。
【００３７】
前記電気制御ボードは回転速度比調節モジュール、調速モジュールと方向転換調節モジュールとを含み、前記回転速度比調節モジュールは前記第一電気モータ２００と前記第二電気モータ３００の回転速度の比を調節及び固定するためのものであり、前記調速モジュールは前記第一電気モータ２００と前記第二電気モータ３００の回転速度を同期して調節するためのものであり、前記方向転換調節モジュールは前記第一電気モータ２００と前記第二電気モータ３００の回転方向を切り換えるためのものである。
【００３８】
方向転換調節モジュールは二種類の調節モジュールがあり、その一つは正転モードであり、もう一つは反転モードであり、正転モードにおいて、扇風機は正方向に送風し、反転モードにおいて、扇風機は逆方向に送風し、方向転換調節モジュールは調節スイッチと保護スイッチを含み、保護スイッチは扇風機の運転時に方向転換調節モジュールを切断して、扇風機の運転時に方向転換調節スイッチを作動させて第一電気モータ２００と第二電気モータ３００を運転時に反転させて損害を与えるのを避けるためのものであり、方向転換調節スイッチは扇風機の運転停止時に第一電気モータ２００と第二電気モータ３００の給電モードを切り換えることで、扇風機の正方向或いは逆方向送風を制御するためのものである。保護スイッチは常閉スイッチであり、扇風機の作動時に、保護スイッチが開いて、方向転換調節モジュールの給電を中断し、扇風機の電源が入って且つ作動していない時、保護スイッチが閉じており、方向転換調節モジュールは正常に作動できる。
【００３９】
シングル電気モータシングル羽根の通常の扇風機にとって、電気モータの出力パワーが決まった場合、扇風機の送風能力（主に送風量と有効送風距離を含む）に影響する要因は、羽根のブレード数、一つのブレードの面積、ブレードのねじれ角（ブレードが回転する時、ブレードの幅方向とブレードの線速度方向との角度）、ブレード長さ、ブレード幅とブレード回転速度など複数種類を含む。これらの要因の扇風機送風能力への貢献は単なる重ね合わせではなく、互いに一定の影響をするものである。例えば、ブレードを矩形に等価化する場合、一つのブレードの面積はブレードの長さと幅の積である。一つのブレードの面積が決まった場合、ブレードの長さが大きいほど、扇風機の総送風量は大きくなる。しかしながら、ブレードの長さと扇風機の有効送風距離との間の関係には一致性がなく、ブレードの長さが大きいすぎても小さすぎても扇風機の有効送風距離の減少を招いてしまう。
【００４０】
本願が提供する扇風機にとって、電気モータの出力総パワーが決まった場合、扇風機の送風能力に影響する要因としては、上記のシングル電気モータシングル羽根の送風能力に影響する要因以外に、さらに第一羽根２０１と第二羽根３０１それぞれの上記各要因間の関係及び第一羽根２０１と第二羽根３０１との間の距離を含む。例えば、他の要因が何れも同じ条件で、第一羽根２０１と第二羽根３０１の回転速度比は扇風機の有効送風距離と総送風量に同時に影響する。
【００４１】
扇風機が第一羽根２０１側に送風する場合を例にとり、第一羽根２０１の回転速度はω１で、第二羽根３０１の回転速度はω２であり、第一電気モータ２００と第二電気モータ３００の総出力パワーを一定に保って、且つねじれ方向だけが異なる第一羽根２０１及び第二羽根３０１を利用して、異なる回転速度比の場合の扇風機有効送風距離と総送風量の対象の比較テストを行った結果、一部のデータは以下になる。
【表３】
2021526611.tif 000013
【００４２】
上記テストデータからわかるように、第一羽根２０１と第二羽根３０１の回転速度比
【数９】
2021526611.tif 000014
の場合、送風量が比較的多く、第一羽根２０１と第二羽根３０１の回転速度比
【数１０】
2021526611.tif 000015
の場合、有効送風距離が比較的遠い。さらに、
【数１１】
2021526611.tif 000016
の場合、送風量と有効送風距離の減衰量は次第に遅くなり、
【数１２】
2021526611.tif 000017
の場合、送風量の減衰と有効送風距離の減衰は何れも著しく速くなり、且つ有効送風距離の減衰速度が送風量の減衰速度より明らかに速いことがわかる。さらなるテストにより、データからわかるように、
【数１３】
2021526611.tif 000018
の場合、送風量の減衰は明らかに遅くなり、
【数１４】
2021526611.tif 000019
の場合、有効送風距離が最も小さい。
【００４３】
送風距離の減衰速度が送風量の減衰速度より明らかに速い場合、送風断面が明らかに拡大し、即ち気流が明らかに発散すると推定できる。遠距離送風を必要とする時、回転速度比調節モジュールにより調節して、回転速度比
【数１５】
2021526611.tif 000020
を０．９と１との間にコントロールすることで、最大距離の有効送風を実現でき、近距離送風を必要として且つ気流の迅速な分散を必要とする時、回転速度比調節モジュールにより回転速度比
【数１６】
2021526611.tif 000021
を小さめの値、例えば０．４と０．６との間にコントロールできる。
【００４４】
一般的な扇風機には通常の三つの段階が前もってセットされており、本願の扇風機にも段階を前もってセットできる。具体的に、本実施例における電気制御ボードは段階調節モジュールを含み、前記段階調節モジュールは段階を編集できるエディタとメモリを含み、前記段階調節モジュールはさらに複数のプリセット段階選択ボタンと少なくとも一つのカスタマイズ段階選択ボタンを含む。本願の扇風機は異なる送風モードを実現できるので、プリセット段階には、通常の風速を制御する段階以外に、さらに送風モードの段階を含む。例えば、プリセット段階には軟風モード段階と直風モード段階が含まれ、軟風モードでは
【数１７】
2021526611.tif 000022
に前もっとセットし、直風モードでは
【数１８】
2021526611.tif 000023
に前もっとセットし、異なる風速の段階に合わせて、軟風モードにおける多段階送風と直風モードにおける多段階送風を実現でき、プリセット段階にはさらに、
【数１９】
2021526611.tif 000024
に対応する通常モードの段階を前もってセットでき、比較的大きい有効送風距離を保つ前提で、気流が一定の発散角を持ち、風感が比較的適当である。それに、使用者は段階エディタを利用してカスタマイズ段階を設定できる。編集できる内容は総出力パワーと回転速度比を含み、編集が完成後、メモリに保存し、カスタマイズ段階選択ボタンと関連付けて、カスタマイズ送風モードの直接呼出選択を実現する。
【００４５】
平面ブレードを採用する場合、方向転換調節モジュールで電気モータの方向を変えて、送風方向が反対になり、第一羽根２０１と第二羽根３０１の回転速度比
【数２０】
2021526611.tif 000025
の送風効果に対する影響に、前記内容は適用できなくなり、倒置して第二羽根３０１と第一羽根２０１の回転速度比
【数２１】
2021526611.tif 000026
に入れ替える必要があり、弧形面ブレードを採用する場合、方向転換調節モジュールで電気モータの方向を変えて、送風方向が反対になるが、送風効果は平面ブレードを採用する場合とは多少違って、全体の送風能力がある程度低下する以外は、他の面において上記内容と基本的に一致する。
【００４６】
本願の技術案では、互いに反対に回転する電気モータにより、空気を駆動して軸方向に送風するようにブレードのねじれ方向が反対の第一羽根２０１と第二羽根３０１を駆動して、且つ電気制御ボードにより第一電気モータ２００と第二電気モータ３００の回転速度の比を一定の値の範囲内にあるように制御することで、扇風機の送風モードを調節する。例えば第一羽根２０１と第二羽根３０１の回転速度比
【数２２】
2021526611.tif 000027
の範囲内に制御する場合、気流の電気モータの軸方向に垂直な運動量を互いに相殺させることで気流をより集中させて、送風量をより大きくして、送風距離をより遠くできる。これにより、一定の送風距離需要を満たす前提で、第一電気モータ２００と第二電気モータ３００の回転速度を避けて、さらには扇風機の運転時の騒音を低減できる。一方、電気制御ボードにより第一羽根２０１と第二羽根３０１の回転速度比
【数２３】
2021526611.tif 000028
を０．５５以内に制御する場合、送風気流をより迅速に分散させて、幼児とお年寄りの軟風モードに対する送風需要を満たす。それに、電気制御ボードの回転速度比調節モジュールにより第一電気モータ２００と第二電気モータ３００の回転速度比を調節して、扇風機に気流が迅速に分散する軟風送風機能から次第に気流が集中する遠距離送風機能まで持たせることが可能である。段階を編集できるエディタとメモリにより、使用者によく使われる送風モードを編集や保存して、且つそれをカスタマイズ段階としてカスタマイズ段階ボタンと関連付けて、設置が完了後、使用が必要になる度に繰り返して設定することなく、ワンタッチで選択できる。
【００４７】
扇風機は、その二つの電気モータの回転速度比が送風効果に影響する以外に、前記第一羽根２０１のブレード数ｎ１、前記第二羽根３０１のブレード数ｎ２、前記第一羽根２０１のねじれ角θ１、前記第二羽根３０１のねじれ角θ２の数値及び相互関係も送風効果に多少影響する。比較的多い影響要因が共同して扇風機の送風能力に影響し且つ具体的に計算することが困難な場合、如何にしてこれらの影響要因の関係を組み合わせれば最適な設計を実現できるかは、理論と実験上の困難に直面する。
【００４８】
そのために、前記第一羽根２０１のブレード数と第二羽根３０１のブレード数との比と前記第一羽根２０１のねじれ角と第二羽根３０１のねじれ角との比の積を第一羽根２０１と第二羽根３０１との間の第一差異係数として定義し、前記第一羽根２０１のブレード面積と前記第一羽根２０１のブレード長さとの比と前記第二羽根３０１のブレード面積と前記第二羽根３０１のブレード長さの比の積を第二差異係数として定義すると、第一差異係数は
【数２４】
2021526611.tif 000029
、第二差異係数は
【数２５】
2021526611.tif 000030
になる。
【００４９】
第一差異係数は、第一羽根２０１と第二羽根３０１のブレード形状、面積、長さ、幅など他の条件が決まった場合、その自身の送風能力の比の値を反映するものであり、第二差異係数は、第一羽根２０１と第二羽根３０１のブレード数、ブレードねじれ角とブレード幅などの条件が決まった場合、その自身の送風能力の比の値を反映するものである。
【００５０】
総出力パワーが固定して且つブレードの他の条件が何れも同じ場合、K１値が異なる扇風機に対して送風能力のグループテストを行った結果、以下になる。
【表４】
2021526611.tif 000031
【００５１】
上記データからわかるように、
【数２６】
2021526611.tif 000032
の場合、扇風機の送風量と送風距離は何れも比較的良い数値範囲になり、且つ送風量と送風距離の最良区間は
【数２７】
2021526611.tif 000033
である。
【００５２】
総出力パワーが固定して且つブレードの他の条件が何れも同じ場合、K2値が異なる扇風機に対して送風能力のグループテストを行った結果、以下になる。
【表５】
2021526611.tif 000034
【００５３】
データからわかるように、扇風機の送風量と送風距離の最良区間は
【数２８】
2021526611.tif 000035
である。
【００５４】
それに、第一羽根２０１の長さ、第二羽根３０１の長さと第一羽根２０１と第二羽根３０１間の距離との間の関係も扇風機の送風能力に影響する。
【００５５】
第一羽根２０１と第二羽根３０１の反対回転により生じたペア気流の共同作用は本願の扇風機の送風能力に寄与する。一方、第一羽根２０１と第二羽根３０１の間隔が大きすぎるか或いは第一羽根２０１のブレード長さと第二羽根３０１のブレード長さの差が比較的大きい場合、二つの羽根の反対回転とペア気流の共同作用の効果は弱くなる。したがって、第一羽根２０１のブレード長さと第二羽根３０１のブレード長さの比をある一つの区間内に設定して、そして第一羽根２０１のブレード長さと第一羽根２０１と第二羽根３０１との間の距離との比をある一つの区間内に設定する必要がある。
【００５６】
それに対して、他の影響要因を固定し、単一変数の対照テストを行い、第一羽根２０１のブレード長さと第二羽根３０１のブレード長さとの比の送風量と送風距離に対する影響について、データは以下になる。
【表６】
2021526611.tif 000036
【００５７】
第一羽根２０１のブレード長さと第一羽根２０１と第二羽根３０１との間の距離の比の送風量と送風距離に対する影響について、データは以下になる。
【表７】
2021526611.tif 000037
【００５８】
以上のデータからわかるように、
【数２９】
2021526611.tif 000038
の比較的良い数値区間は
【数３０】
2021526611.tif 000039
であり、
【数３１】
2021526611.tif 000040
の比較的良い数値区間は
【数３２】
2021526611.tif 000041
であり、そして
【数３３】
2021526611.tif 000042
の最良数値区間は
【数３４】
2021526611.tif 000043
であり、
【数３５】
2021526611.tif 000044
の最良数値区間は
【数３６】
2021526611.tif 000045
である。
【００５９】
反対回転扇風機の送風能力に影響する要因は非常に多く、且つ各要因間には一定の関係があるので、反対回転扇風機の最良送風時の具体的な設定を確定するのが困難である。本願では、一連の独創の対照テストを通して、各影響要因間の比較的良い比の値を得て、且つ反対回転扇風機の送風能力に影響する第一羽根２０１と第二羽根３０１の各要因の比例及び数値範囲を画定することで、反対回転扇風機の送風能力を最良にする。
【００６０】
上記実施例はダブル羽根を採用する扇風機の具体的な実施例であり、扇風機の送風距離をさらに上げるために、本願では、ダブル羽根をもとに、さらにもう一つの実施例を提供する。
【００６１】
図４を参照し、本実施例の扇風機はさらに第三羽根４００を含む。ダブル羽根反対回転送風をもとに第三羽根４００を追加することで、さらなる整流調節を行って、最大送風距離を大きくできる。具体的に、前記第三羽根４００は前記第一回転軸２０２に取り付けられ、前記第三羽根４００は前記第一羽根２０１の前記第二羽根３０１と反対するもう一側に設置されて、且つ前記第三羽根４００のブレード長さは前記第一羽根２０１のブレード長さより小さい。
【００６２】
羽根は気流の流速と流向を変え、２セットの羽根を採用する場合、気流に対して二次調整を行い、そして２セットの羽根に対して特定の設定及び調整を行うことで、送風効果に対して人為的な調節を行う目的を達成できるので、本願では上記の２セット羽根の扇風機の実施例を提供する。気流が流れる時、周囲の空気に阻まれるので、気流の境界には、比較的大きい不安定性がある。気流は等価化して気流束中心区と気流束境界区に区分でき、比較すると、気流束中心区の流速が送風距離に与える影響がより大きく、気流束境界区が送風の角度に与える影響が比較的大きい。よって、本願では、上記のダブル羽根をもとに整流羽根を追加する実施例を提供する。
【００６３】
第三羽根４００は整流羽根であり、整流羽根は主として気流束中心区の区域比例と流速を調整するためのものであり、総パワーが変わらない状態で、気流束中心区と境界区の範囲と比例を調節することで、より遠い送風距離を獲得する。
【００６４】
これを踏まえて、扇風機の運転時の安定性を向上させるためにそして整流羽根の整流能力をさらに向上させるために、本願ではもう一つの実施例を提供する。本実施例では、扇風機はさらに第四羽根５００を含み、前記第四羽根５００は前記第二回転軸３０２に取り付けられて且つ前記第一羽根２０１と前記第二羽根３０１の間に設けられている。同様に、前記第四羽根５００のブレード長さは前記第二羽根３０１のブレード長さより小さい。整流羽根としては、第三羽根４００或いは第四羽根５００の中の一方だけを採用してもよく、同時に第三羽根４００と第四羽根５００を設置してもよいことは、説明しておく必要がある。
【００６５】
整流羽根を第一羽根２０１と第二羽根３０１と組み合わせることで、気流の調整可能性をより強くできる一方、整流羽根の気流に対する追加の駆動作用及びその追加の駆動作用が風束中心区域に集中することにより、扇風機により生じられる気流束の中心区と境界区の区域比例及び流速比例を調整して、より遠い送風距離を得ることが可能となる。
【００６６】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的なの応用は、何れも本願の特許の保護範囲に含まれる。
【符号の説明】
【００６７】
１００  支柱
２００  第一電気モータ
２０１  第一羽根
２０２  第一回転軸
３００  第二電気モータ
３０１  第二羽根
３０２  第二回転軸
４００  第三羽根
５００  第四羽根
【図１】
2021526611.tif 000054
【図２】
2021526611.tif 000055
【図３】
2021526611.tif 000056
【図４】
2021526611.tif 000057
【国際調査報告】
2021526611.tif 000058
2021526611.tif 000059
2021526611.tif 000060
2021526611.tif 000061